(57)【要約】      （修正有）【課題】携帯電話や鞄などに取り付けることができる抱き枕風アクセサリーを提供する。【解決手段】携帯電話や鞄などに取付け可能な抱き枕風のアクセサリー１であって、クッション体２１、及びクッション体２１を包むカバー２２、を有するアクセサリー本体２と、アクセサリー本体２を携帯電話や鞄などに取付けるための取付け部材３とにより構成する。クッション体２１は、中央部が最も厚くなった発泡ポリウレタンにより作成し、つまんだ時の感触が心地良いものとなる様に、２５％圧縮時の圧縮力が４．８〜７．０Ｎで、５０％圧縮時圧縮力が１６．１〜２５．１Ｎ程度の素材を使用する。【選択図】図１
0003154343.tif 000002
【実用新案登録請求の範囲】
【請求項１】
被取付け体に取付け可能なアクセサリーであって、
クッション体、及び前記クッション体を包むカバー、を有するアクセサリー本体と、
前記アクセサリー本体を被取付け体に取付けるための取付け部材と、
を備えた、アクセサリー。
【請求項２】
前記クッション体は、発泡ポリウレタンから構成されている、請求項１に記載のアクセサリー。
【請求項３】
前記クッション体は、ポリエーテルポリオールを含む、請求項１に記載のアクセサリー。
【請求項４】
前記クッション体は、ＪＩＳ  Ｋ  ６４００−２：２００４のＡ−２法に準拠した方法で厚さ方向に圧縮した場合、２５％圧縮時の圧縮力が４．８〜７．０Ｎであり、５０％圧縮時の圧縮力が１６．１〜２５．１Ｎである、請求項１〜３のいずれかに記載のアクセサリー。
【請求項５】
前記カバーは、伸縮性生地である、請求項１〜４のいずれかに記載のアクセサリー。
【請求項６】
前記伸縮性生地は、２ウェイトリコットである、請求項５に記載のアクセサリー。
【請求項７】
前記伸縮性生地は、ポリエステル８５重量％及びポリウレタン１５重量％から構成される、請求項５又は６に記載のアクセサリー。
【請求項８】
前記カバーは、伸長率が７０％である、請求項１〜７のいずれかに記載のアクセサリー。
【請求項９】
前記カバーは、フルダル糸からなる編地であって、２．５４ｃｍ当たり３２ゲージで編成している、請求項１〜８のいずれかに記載のアクセサリー。
【請求項１０】
前記カバーは、前記クッション体を押さえつけた状態で包んでいる、請求項１〜９のいずれかに記載のアクセサリー。
【請求項１１】
前記カバーは、張力が掛かった状態で前記クッション体を包んでいる、請求項１０に記載のアクセサリー。
【請求項１２】
前記クッション体は、収縮した状態で前記カバーに包まれている、請求項１０又は１１に記載のアクセサリー。
【請求項１３】
前記カバーには、絵柄が印刷されている、請求項１〜１２のいずれかに記載のアクセサリー。
【請求項１４】
前記アクセサリー本体は、最大幅が３ｃｍ、最大長さが１０ｃｍ、最大厚さが１．５ｃｍの大きさである、請求項1〜１３のいずれかに記載のアクセサリー。
【請求項１５】
前記取付け部材は、ループ状の紐部を有する、請求項１〜１４のいずれかに記載のアクセサリー。
【考案の詳細な説明】
【技術分野】
【０００１】
本考案は、携帯電話などに取り付けられるアクセサリーに関するものである。
【背景技術】
【０００２】
従来より、種々の趣向を凝らした抱き枕が提案されている（例えば特許文献１など）。このような抱き枕は、通常の枕と同様に、綿からなるクッション体と、このクッション体を包むカバーとによって構成されている。このような抱き枕のうち、カバーの表面や裏面にアイドルの写真や人気キャラクターなどを印刷したものに人気が出てきており、このような抱き枕を携帯電話用ストラップや鞄などに取り付けるようなアクセサリーにしたいという要望があった。
【先行技術文献】
【特許文献】
【０００３】
【特許文献１】特開２００３−２６５２９２号公報
【考案の概要】
【考案が解決しようとする課題】
【０００４】
そこで本考案は、携帯電話や鞄などに取り付けることができる抱き枕風アクセサリーを提供することを課題とする。
【課題を解決するための手段】
【０００５】
本考案に係るアクセサリーは、被取付け体に取付け可能なアクセサリーであって、クッション体と、前記クッション体を包むカバーと、を有するアクセサリー本体と、前記アクセサリー本体を被取付け体に取付けるための取付け部材と、を備えている。この構成によれば、クッション体をカバーによって包むことで抱き枕風のアクセサリー本体を構成することができ、また、このような抱き枕風のアクセサリー本体を、取付け部材によって携帯電話や鞄などといったような被取付け体に取り付けることができる。
【０００６】
上記アクセサリーは種々の構成をとることができるが、例えば上記クッション体は、発泡ポリウレタンから構成されていることが好ましい。上記アクセサリー本体は、クッション体をカバーによって包むことで構成しているが、通常の抱き枕と同様の構成のまま、すなわち綿からなるクッション体を布地で包んだ構成のまま、携帯電話や鞄などに取り付けても邪魔にならない程度の大きさまで小さくすると、表面に凸凹が目立つような形状となったり、捩れた状態になったりするなど、その形状を保持したまま大きさを小さくすることが困難であった。これに対して、クッション体を発泡ポリウレタンとすることで、形状を保持したまま、すなわち表面に凹凸ができたり、捩れた状態となったりするなどの問題なく、アクセサリー本体の大きさを小さくすることができる。
【０００７】
また、上記クッション体は、ポリエーテルポリオールを含む構成とすることもできる。
【０００８】
また、クッション体は、ＪＩＳ  Ｋ  ６４００−２：２００４のＡ−２法に準拠した方法で厚さ方向に圧縮した場合、２５％圧縮時の圧縮力が４．８〜７．０Ｎであり、５０％圧縮時の圧縮力が１６．１〜２５．１Ｎであるような構成とすることもでき、これによって、アクセサリー本体を指でつまんだりしたときの感触を心地よいものとすることができる。
【０００９】
また、カバーは、伸縮性生地を使用することが好ましく、この伸縮性生地は２ウェイトリコットとすることが好ましい。また、この伸縮性生地は、ポリエステルとポリウレタンを含んでいることが好ましく、具体的にはポリエステル８５重量％とポリウレタン１５重量％とから構成することが好ましい。このように構成することで、アクセサリー本体の手触り感を良好なものにすることができる。また、カバーの伸長率を７０％とすることによって、アクセサリー本体の形状をきれいに保持することができる。またさらには、カバーをフルダル糸を使用した編地から構成し、２．５４ｃｍ（1インチ）当たり３２ゲージで編成することで、光沢感を抑えて高級感を醸し出すことができる。
【００１０】
また、カバーは、クッション体を押さえつけた状態で包んでいることが好ましい。例えば、クッション体を張力が掛かった状態のカバーで包んだり、若しくは収縮した状態のクッション体をカバーで包んだりするように構成することができる。このように構成することで、カバー内においてクッション体が動くことが規制され、ひいては、クッション体が捩れたりすることを防止することができ、より適切な形状を保持することができる。
【００１１】
また、カバーには、例えば、アイドルや人気キャラクターなどの絵柄が印刷されていてもよく、表面と裏面の絵柄を異ならせることもできる。
【００１２】
また、アクセサリー本体は、最大幅を約３ｃｍ、最大長さを約１０ｃｍ、最大厚さを約１．５ｃｍとすることができる。
【００１３】
また、取付け部材は、ループ状の紐部を有するような構成とすることができる。これにより携帯電話などにアクセサリー本体を容易に取り付けることができる。
【考案の効果】
【００１４】
本考案によれば、抱き枕風のアクセサリーを提供することができる。
【図面の簡単な説明】
【００１５】
【図１】図１は本考案に係るアクセサリーの斜視図である。
【図２】図２は本考案に係るアクセサリーの側面図である。
【図３】図３は図１のＡ−Ａ線断面図である。
【考案を実施するための形態】
【００１６】
以下、本考案に係る抱き枕風アクセサリーの実施形態について図面を参照しつつ説明する。
【００１７】
図１〜図３に示すように、アクセサリー１は、全体として抱き枕を模倣した形状を有しており、携帯電話や鞄などの被取付け体に取り付けられるように構成されている。より詳細には、アクセサリー１は、アクセサリー本体２と、このアクセサリー本体２を携帯電話や鞄に取り付けるための取付け部材３とを備えている。
【００１８】
アクセサリー本体２は、抱き枕を模倣したような形状のクッション体２１と、このクッション体２１を包むカバー２２とから構成されている。このアクセサリー本体２の大きさは、特に限定されるものではないが、携帯電話や鞄などに取り付けても邪魔にならない程度の大きさとすることが好ましく、例えば、長さを約１０〜１２ｃｍ、幅を約３〜４ｃｍ、厚さを約１．５〜２ｃｍ程度とすることが好ましい。
【００１９】
クッション体２１は、中央が一番厚くなっており、各端部に近づくにつれて薄くなるような形状をしている。また、クッション体２１は発泡ポリウレタンから構成されている。このクッション体２１は、ＪＩＳ  Ｋ  ６４００−２：２００４のＡ−２法に準拠した方法で厚さ方向に圧縮した場合、２５％圧縮時の圧縮力が４．８〜７．０Ｎであり、５０％圧縮時の圧縮力が１６．１〜２５．１Ｎとすることが好ましい。このような柔らかさとすることで、このアクセサリー本体２をつまんだときの感触が心地よいものとなっている。なお、具体的には、幅２５ｍｍ、長さ９５ｍｍ、最大厚さ１４．３〜１４．４ｍｍのクッション体２１を準備し、室温２３℃、試験機容量をロードセル式５０Ｎとして試験速度5ｍｍ／ｍｉｎの条件で、φ１００ｍｍの金属製圧縮板を取り付けた圧縮試験機にてクッション体２１を圧縮し、厚さの２５％、５０％圧縮時の圧縮力を測定する。なお、予備圧縮を行わずに1回目の圧縮力を測定する。また、このクッション体２１は、カバー２２内に隙間無く充填された状態となっている。
【００２０】
カバー２２は、上述したように構成されたクッション体２１を包むように構成されている。また、カバー２２は、その中に収容されたクッション体２１を周りから押さえつけるように包んでいる。このようにクッション体２１を押さえつける方法としては、例えば、テンションが掛かった状態でクッション体２１を包むようにカバー２２を構成することができる。なお、このときカバー２２の伸長率を７０％とすることによってよりきれいな形状を保持することができる。また、その他にもクッション体２１を縮んだ状態でカバー２２内に収容することでクッション体２１を押さえつけることができる。このような構成とすることによって、カバー２２内でクッション体２１が回転したり捩れたりして形状が崩れることを防止することができる。また、カバー２２は伸縮性生地とすることが好ましく、伸縮性生地としては例えば２ウェイトリコットを挙げることができ、その材質は、ポリエステル８５重量％、ポリウレタン１５重量％とすることが好ましい。このように構成することで、非常に優れた手触りを実現することができる。また、カバー２２をフルダル糸からなる編地で構成し、このときの２．５４ｃｍ（１インチ）当たり３２ゲージで編成することで、高級感を醸し出すことができる。さらにカバー２２には、例えばアニメのキャラクターなどを印刷していることが好ましい。なお、インクジェット転写プリントによって、キャラクターなどをカバー２２に印刷することができる。
【００２１】
以上のように構成されたアクセサリー本体２は、取付け部材３を介して、携帯電話や鞄などのような被取付け体に取り付けられる。この取付け部材３は、第１端部がアクセサリー本体２に接続されており、第２端部がループ状の紐部３１となっており被取付け体に取付け可能となっている。
【００２２】
以上のように構成されたアクセサリーは、取付け部材３によってアクセサリー本体２を携帯電話や鞄などの被取付け体に取り付けることができる。
【００２３】
なお、アクセサリー本体２の形状は種々の形状を採用することができ、例えば、円筒状や、人間のような形状、動物風の形状、立方体形状、などの形状とすることもできる
【００２４】
また、上記実施形態では、クッション体２１はポリウレタンから構成していたが、その他の材質にすることもでき、例えば、ジェル、シリコン、スライム、低反発ポリウレタンなどによってクッション体２１を構成することもできる。
【００２５】
また、上記実施形態では、カバー２２は２ウェイトリコットから構成していたが、その他の材質にすることもでき、例えば、マイクロファイバー、スムース  などによってカバー２２を形成することもできる。
【００２６】
また、上記実施形態では、取付け部材３の先端部をループ状の紐部３１としていたが、特にこれに限定されるものではなく、例えば、先端に開閉可能なリング部やフック部を設けることもできる。
【符号の説明】
【００２７】
１    アクセサリー
２    アクセサリー本体
２１  クッション体
２２  カバー
３    取付け部材
【図１】
0003154343.tif 000003
【図２】
0003154343.tif 000004
【図３】
0003154343.tif 000005